(57)【要約】  【課題】小型で簡単な操作で基板１０に同軸コネクタ３４を電気的接続させ、また取り外せる中継コネクタを提供する。  【解決手段】第１と第２の操作レバー２０、２２を揺動自在とし、第１と第２の操作レバー２０、２２の一端側にそれぞれ配設した導電材からなる基板ＧＮＤブロック２６と外郭ＧＮＤブロック３２を、揺動に伴い接近分離方向に移動させる。外郭ＧＮＤブロック３２に、同軸コネクタ３４を固定する。外郭ＧＮＤブロック３２に穿設した貫通孔３２ｄに絶縁パイプ５０を挿入し、これに芯線３４ｃとプローブ５２を挿入して、芯線３４ｃにプローブ５２の一端を当接させる。外郭ＧＮＤブロック３２に、他端側のプランジャーを突出させてプローブ５２が抜け出ないように絶縁押さえ部材５４を配設する。基板ＧＮＤブロック２６と外郭ＧＮＤブロック３２を電気的接続する。基板１０を、基板ＧＮＤブロック２６と外郭ＧＮＤブロック３２で挟む。【選択図】  図５
2008145248.tif 000002
【特許請求の範囲】
【請求項１】
基板の表面端部に設けられた端子電極に同軸コネクタの芯線を電気的接続するとともに前記基板の裏面端部に設けられたＧＮＤ電極に前記同軸コネクタの外郭ＧＮＤを電気的接続する中継ネクターであって、第１の操作レバーに第２の操作レバーを揺動軸により揺動自在に配設し、前記第１の操作レバーの前記揺動軸に対して一方側に導電材からなる基板ＧＮＤブロックを固定し、前記第２の操作レバーの前記揺動軸に対して一方側で前記基板ＧＮＤブロックに臨んで前記第２の操作レバーの揺動に伴い接近分離方向に移動するように導電材からなる外郭ＧＮＤブロックを連結し、前記第１の操作レバーと前記第２の操作レバーの間で前記揺動軸に対して他方側に弾性部材を縮設して前記基板ＧＮＤブロックに前記外郭ＧＮＤブロックを当接させる方向に弾性付勢し、前記外郭ＧＮＤブロックに前記接近分離方向に貫通孔を穿設して絶縁パイプを挿入し、この絶縁パイプにプローブを挿入してその一端を前記芯線の先端面に当接させ、前記外郭ＧＮＤブロックの前記基板ＧＮＤブロックと反対側の面に前記同軸コネクタの外郭ＧＮＤを固定するとともに電気的接続し、前記外郭ＧＮＤブロックの前記基板ＧＮＤブロック側の面に前記絶縁パイプに挿入された前記プローブを他端側のプランジャーを突出させた状態で前記プローブが抜け出ないように絶縁押さえ部材を配設し、さらに前記基板ＧＮＤブロックと前記外郭ＧＮＤブロックを電気的接続して構成したことを特徴とする中継コネクタ。
【請求項２】
請求項１記載の中継コネクタにおいて、前記外郭ＧＮＤブロックに前記接近分離方向に穿設したガイド孔に、前記基板ＧＮＤブロックに前記接近分離方向に立設した直線状のガイド部材を挿入して、前記外郭ＧＮＤブロックが前記基板ＧＮＤブロックに対して前記接近分離方向の直線状に移動するようになし、前記第２の操作レバーの前記一方側の先端部に連結部材を連結し、この連結部材を前記外郭ＧＮＤブロックに固定し、前記第２の操作レバーと前記連結部材を前記揺動軸に平行な第２の揺動軸とこの第２の揺動軸が挿入される前記接近分離方向と略直交方向に長い長孔により連結して、前記第２の操作レバーの揺動により前記外郭ＧＮＤブロックが直線状に移動するように構成したことを特徴とする中継コネクタ。
【請求項３】
請求項１記載の中継コネクタにおいて、前記基板ＧＮＤブロックに導電材からなる板バネを固定し、この板バネを前記外郭ＧＮＤブロックに対して前記接近分離方向に摺動自在に弾接させて、前記基板ＧＮＤブロックを前記外郭ＧＮＤブロックに電気的接続するように構成したことを特徴とする中継コネクタ。
【請求項４】
請求項１記載の中継コネクタにおいて、前記プローブを挿通する前記絶縁パイプを、前記同軸コネクタの前記芯線を囲む誘電体部材と同じ誘電率の素材で構成したことを特徴とする中継コネクタ。
【請求項５】
請求項１記載の中継コネクタにおいて、前記同軸コネクタの前記芯線を囲む誘電体部材が前記外郭ＧＮＤの取付面より突出していて、この突出部分を前記外郭ＧＮＤブロックに穿設した前記貫通孔に挿入するように構成したことを特徴とする中継コネクタ。
【請求項６】
請求項１記載の中継コネクタにおいて、前記同軸コネクタの前記芯線の先端側を前記絶縁パイプに挿入し、前記絶縁パイプ内で前記芯線の先端面に前記プローブの一端が当接するように構成したことを特徴とする中継コネクタ。
【請求項７】
請求項１記載の中継コネクタにおいて、前記中継コネクタの横幅を、前記同軸コネクタの横幅の寸法と同じに構成したことを特徴とする中継コネクタ。
【発明の詳細な説明】
【技術分野】
【０００１】
本発明は、基板の検査等のために、基板の表面に設けられた端子電極に同軸コネクタの芯線を電気的接続するとともに基板の裏面に設けられたＧＮＤ電極に前記同軸コネクタの外郭ＧＮＤを電気的接続する中継ネクターに関するものである。
【背景技術】
【０００２】
高周波回路基板等の設計製作において、設計途中でその特性評価を行う必要がある。そこで、基板の表面端部に設けられた端子電極に同軸コネクタの芯線を電気的接続するとともに、基板の裏面端部に設けられたＧＮＤ電極に同軸コネクタの外郭ＧＮＤを電気的接続して、端子電極から得られる高周波信号に基ずいて特性評価がなされる。従来の同軸コネクタを基板に電気的接続する構造を、図９および図１０を参照して簡単に説明する。図９は、従来の同軸コネクタを基板に電気的接続する構造を示す図である。図１０は、従来の基板に同軸コネクタを接続する前の分解斜視図である。図９および図１０において、基板１０の表面端部に設けられた端子電極１２、１２…に同軸コネクタ（一例として、ＳＭＡ型コネクタ）１４、１４…の芯線１４ａ、１４ａ…が半田付けにより電気的接続され、また基板１０の裏面端部に設けられたＧＮＤ電極１６に同軸コネクタ１４、１４…の外郭ＧＮＤ１４ｂ、１４ｂ…が半田付けにより電気的接続される。
【０００３】
図９および図１０に示す構造にあっては、同軸コネクタ１４、１４…を基板１０に電気的接続する際の半田付け作業が煩雑である。また、同軸コネクタ１４、１４…を基板１０から取り外す際の半田を溶融する作業も煩雑である。しかも、半田付けおよび半田を溶融する際に、同軸コネクタ１４の構成部品である樹脂部材からなる誘電体部材に熱が加わり、誘電体部材の変形および電気的特性変化を生ずる虞があり、繰り返して使用できる回数が限られていて経済的的でない。
【０００４】
そこで、半田付けすることなしに同軸コネクタを基板に電気的接続する技術が、ＵＳＰ５０１７８６５号公報に示されている。この技術を簡単に説明すれば、導電材からなるブロックに同軸コネクタの外郭ＧＮＤを固定するとともに、このブロックの一面から電気的に絶縁状態で同軸コネクタの芯線を突出させ、さらにブロックのこの一面に沿って移動し得る導電材からなる移動部材を設けて構成される。そして、移動部材に基板を搭載した状態で、この移動部材を芯線側に移動させ、基板の表面端部に設けられた端子電極を芯線に当接させて電気的接続を得るとともに、基板の裏面端部に設けられたＧＮＤ電極が移動部材に搭載されているのでこの移動部材とブロックを介して外郭ＧＮＤに電気的接続が得られる。半田付けすることなしに、同軸コネクタを基板に電気的接続することができる。
【特許文献１】ＵＳＰ５０１７８６５号公報
【発明の開示】
【発明が解決しようとする課題】
【０００５】
上述のＵＳＰ５０１７８６５号公報に示された技術にあっては、基板を搭載する移動部材を、同軸コネクタの芯線側に移動させる構造が複雑であり、装置全体としてかなり大きなものとなっている。より小型で、基板に対してより簡単に同軸コネクタを取り付けおよび取り外しのできるものが望ましい。
【０００６】
本発明は、かかる事情に鑑みてなされたもので、小型であるとともに簡単な操作で基板に同軸コネクタを電気的接続できるとともに、簡単に取り外すことのできるようした中継コネクタを提供することを目的とする。
【課題を解決するための手段】
【０００７】
かかる目的を達成するために、本発明の中継コネクタは、基板の表面端部に設けられた端子電極に同軸コネクタの芯線を電気的接続するとともに前記基板の裏面端部に設けられたＧＮＤ電極に前記同軸コネクタの外郭ＧＮＤを電気的接続する中継ネクターであって、第１の操作レバーに第２の操作レバーを揺動軸により揺動自在に配設し、前記第１の操作レバーの前記揺動軸に対して一方側に導電材からなる基板ＧＮＤブロックを固定し、前記第２の操作レバーの前記揺動軸に対して一方側で前記基板ＧＮＤブロックに臨んで前記第２の操作レバーの揺動に伴い接近分離方向に移動するように導電材からなる外郭ＧＮＤブロックを連結し、前記第１の操作レバーと前記第２の操作レバーの間で前記揺動軸に対して他方側に弾性部材を縮設して前記基板ＧＮＤブロックに前記外郭ＧＮＤブロックを当接させる方向に弾性付勢し、前記外郭ＧＮＤブロックに前記接近分離方向に貫通孔を穿設して絶縁パイプを挿入し、この絶縁パイプにプローブを挿入してその一端を前記芯線の先端面に当接させ、前記外郭ＧＮＤブロックの前記基板ＧＮＤブロックと反対側の面に前記同軸コネクタの外郭ＧＮＤを固定するとともに電気的接続し、前記外郭ＧＮＤブロックの前記基板ＧＮＤブロック側の面に前記絶縁パイプに挿入された前記プローブを他端側のプランジャーを突出させた状態で前記プローブが抜け出ないように絶縁押さえ部材を配設し、さらに前記基板ＧＮＤブロックと前記外郭ＧＮＤブロックを電気的接続して構成されている。
【０００８】
また、前記外郭ＧＮＤブロックに前記接近分離方向に穿設したガイド孔に、前記基板ＧＮＤブロックに前記接近分離方向に立設した直線状のガイド部材を挿入して、前記外郭ＧＮＤブロックが前記基板ＧＮＤブロックに対して前記接近分離方向の直線状に移動するようになし、前記第２の操作レバーの前記一方側の先端部に連結部材を連結し、この連結部材を前記外郭ＧＮＤブロックに固定し、前記第２の操作レバーと前記連結部材を前記揺動軸に平行な第２の揺動軸とこの第２の揺動軸が挿入される前記接近分離方向と略直交方向に長い長孔により連結して、前記第２の操作レバーの揺動により前記外郭ＧＮＤブロックが直線状に移動するように構成しても良い。
【０００９】
そして、前記基板ＧＮＤブロックに導電材からなる板バネを固定し、この板バネを前記外郭ＧＮＤブロックに対して前記接近分離方向に摺動自在に弾接させて、前記基板ＧＮＤブロックを前記外郭ＧＮＤブロックに電気的接続するように構成しても良い。
【００１０】
さらに、前記プローブを挿通する前記絶縁パイプを、前記同軸コネクタの前記芯線を囲む誘電体部材と同じ誘電率の素材で構成しても良い。
【００１１】
そしてまた、前記同軸コネクタの前記芯線を囲む誘電体部材が前記外郭ＧＮＤの取付面より突出していて、この突出部分を前記外郭ＧＮＤブロックに穿設した前記貫通孔に挿入するように構成しても良い。
【００１２】
さらにまた、前記同軸コネクタの前記芯線の先端側を前記絶縁パイプに挿入し、前記絶縁パイプ内で前記芯線の先端面に前記プローブの一端が当接するように構成しても良い。
【００１３】
そしてさらに、前記中継コネクタの横幅を、前記同軸コネクタの横幅の寸法と同じに構成しても良い。
【発明の効果】
【００１４】
請求項１記載の中継コネクタにあっては、弾性部材の弾力に抗して、第１の操作レバーと第２の操作レバーを握って、基板ＧＮＤブロックと外郭ＧＮＤブロックの間を開き、この間に基板を挿入して握りを緩めれば、基板ＧＮＤブロックと外郭ＧＮＤブロックで基板が挟まれ、同軸コネクタの芯線がプローブを介して基板表面に設けた端子電極に当接され、また外郭ＧＮＤが基板裏面に設けたＧＮＤ電極に当接されて、それぞれ電気的接続される。また、弾性部材の弾力に抗して、第１の操作レバーと第２の操作レバーを再び握って、基板ＧＮＤブロックと外郭ＧＮＤブロックの間を開き、基板を取り外す。もって、簡単に、基板を同軸コネクタに電気的接続させることができるとともに、簡単に取り外しすることができる。
【００１５】
また、請求項２記載の中継コネクタにあっては、第２の操作レバーの揺動により、外郭ＧＮＤブロックが基板ＧＮＤブロックに対して接近分離方向の直線状に移動するようにしたので、基板に対して外郭ＧＮＤブロックが直交方向に移動し、基板の端子電極に当接したプローブが横にずれて、破損を生ずるようなことがない。
【００１６】
そして、請求項３記載の中継コネクタにあっては、基板ＧＮＤブロックに対して外郭ＧＮＤブロックが接近分離方向に移動するが、基板ＧＮＤブロックに固定した導電材からなる板バネを外郭ＧＮＤブロックに摺動自在に弾接させているので、基板ＧＮＤブロックと外郭ＧＮＤブロックを確実に電気的接続することができる。
【００１７】
さらに、請求項４記載の中継コネクタにあっては、芯線を囲む誘電体部材と同じ誘電率の素材でプローブが挿入される絶縁パイプが構成されているので、芯線からプローブに渡りインピーダンスを同じ値に設定するのが容易である。
【００１８】
そしてまた、請求項５記載の中継コネクタにあっては、同軸コネクタの芯線を囲む誘電体部材が外郭ＧＮＤの取付面より突出していて、この突出部分を外郭ＧＮＤブロックに穿設した貫通孔に挿入するので、芯線を囲む誘電体部材が突出している部分を容易に同軸構造にすることができるとともに、外郭ＧＮＤブロックに対し同軸コネクタを容易かつ確実に位置決めすることができる。
【００１９】
さらにまた、請求項６記載の中継コネクタにあっては、同軸コネクタの芯線の先端側を絶縁パイプに挿入し、絶縁パイプ内で芯線の先端面にプローブの一端が当接するようにしたので、芯線の先端面にプローブの一端を簡単な構造で確実に当接させることができる。
【００２０】
そしてさらに、請求項７記載の中継コネクタにあっては、中継コネクタの横幅が同軸コネクタの横幅と同じに形成されているので、同軸コネクタを基板に配設できる最大の密度で、本発明の中継コネクタを基板に配設することが可能である。
【発明を実施するための最良の形態】
【００２１】
以下、本発明の第１実施例を図１ないし図７を参照して説明する。図１は、本発明の中継コネクタの第１実施例の外観図であり、（ａ）は正面図であり、（ｂ）は平面図であり、（ｃ）は左側面図である。図２は、図１の主要部分の分解斜視図である。図３は、図１のＡ−Ａ断面矢視図である。図４は、第１の操作レバーと第２の操作レバーを握った状態で基板を挿入した一部切り欠き断面図である。図５は、基板を挿入した後に第１の操作レバーと第２の操作レバーの握りを緩めて基板を挟んだ状態の一部切り欠き断面図である。図６は、絶縁パイプが配設される部分の構造を示す一部切り欠き拡大断面図である。図７は、板バネを配設する構造を示す部分の分解斜視図である。図１ないし図７において、図９および図１０と同じまたは均等な部材には同じ符号を付けて重複する説明を省略する。
【００２２】
図１ないし図７において、本発明の中継コネクタの第１実施例にあっては、第１の操作レバー２０に第２の操作レバー２２が、揺動軸２４により揺動自在に配設される。そして、第１の操作レバー２０の揺動軸２４に対して一方側の端部に、導電材からなる基板ＧＮＤブロック２６がネジで固定される。この基板ＧＮＤブロック２６は、基板受け部２６ａが移動保持部２６ｂにネジで固定されて構成される。また、第２の操作レバー２２の揺動軸２４に対して一方側の端部に揺動軸２４と平行な第２の揺動軸２８により連結部材３０が連結される。この連結部材３０に導電材からなる外郭ＧＮＤブロック３２がネジで固定される。なお、この外郭ＧＮＤブロック３２は、基板ＧＮＤブロック２６に臨む位置に配設される。そして、外郭ＧＮＤブロック３２の基板ＧＮＤブロック２６と反対側の面に同軸コネクタ（一例として、ＳＭＡ型コネクタ）３４が固定される。この同軸コネクタ３４は、外郭ＧＮＤ３４ａがネジで外郭ＧＮＤブロック３２に固定されるとともに電気的接続される。さらに、第１の操作レバー２０と第２の操作レバー２２との間で、揺動軸２４に対して他方側に弾性部材としての弾性バネ３６が縮設され、基板ＧＮＤブロック２６に対して外郭ＧＮＤブロック３２が当接する方向に弾性付勢される。
【００２３】
第１の操作レバー２０と第２の操作レバー２２には、図３に示すごとく、ネジとナットによりバネ受け部材３８、４０がそれぞれ固定されて、これらのより弾性バネ３６の両端部の位置が固定される。そして、揺動軸２４は、第２の操作レバー２２の断面コ字状の内側に設けたＥリング４２により軸方向への移動が規制されている。また、連結部材３０には、第２の揺動軸２８が挿入される長孔３０ａが穿設されていて、第１の操作レバー２０に対する第２の操作レバー２２の揺動で、基板ＧＮＤブロック２６に対して外郭ＧＮＤブロック３２が直線状で接近分離方向に移動できるように構成されている。ここで、図２に示すごとく、基板ＧＮＤブロック２６の移動保持部２６ｂに、外郭ＧＮＤブロック３２の接近分離方向に直線状のガイド部材４４、４４が立設され、外郭ＧＮＤブロック３２の接近分離方向に貫通して穿設されたガイド孔３２ａ、３２ａに挿入されて、基板ＧＮＤブロック２６に対して外郭ＧＮＤブロック３２が接近分離方向に直線状に移動するように構成されている。
【００２４】
また、基板ＧＮＤブロックの移動保持部２６ｂには、凹状の溝が設けられ、外郭ＧＮＤブロック３２にはこの凹状の溝に嵌合挿入し得る凸状部３２ｂが設けられる。また、基板ＧＮＤブロック２６の基板受け部２６ａには、図７に示すごとく、導電性を有する板バネ４６を収容し得る凹部が設けられ、この凹部に板バネ４６が収容されてネジで固定される。板バネ４６が固定された状態で、基板受け部２６ａが移動保持部２６ｂに固定される。しかも、移動保持部２６ｂの凹状の溝に、外郭ＧＮＤブロック３２の凸状部３２ｂが挿入された状態で、板バネ４６がこの凸状部３２ｂの前面３２ｃに弾接するように構成される。
【００２５】
さらに、外郭ＧＮＤブロック３２には接近分離方向に貫通孔３２ｄが貫通穿設されていて、同軸コネクタ３４の外郭ＧＮＤ３４ａから突出している誘電体部材３４ｂが貫通孔３２ｄの開口端部に挿入された状態で、外郭ＧＮＤブロック３２に同軸コネクタ３４がネジで固定される。さらに、貫通孔３２ｄ内に誘電体部材３４ｂと同じ誘電率を有する素材で形成された絶縁パイプ５０が挿入される。この絶縁パイプ５０には、両端に可動プランジャーを有するプローブ５２が挿入される。そして、誘電体部材３４ｂから剥き出された芯線３４ｃの先端部分が、絶縁パイプ５０の一端側に挿入されて、絶縁パイプ５０内で芯線３４ｃの先端面にプローブ５２の一端側のプランジャーが弾接するようになされる。さらに、外郭ＧＮＤブロック３２の基板ＧＮＤブロック２６側の面に、絶縁材からなる絶縁押さえ部材５４がネジにより固定されて、プローブ５２の他端側のプランジャーを突出させた状態でプローブ５２自体は抜け出ないようになされる。ここで、プローブ５２の他端側のプランジャーが、基板ＧＮＤブロック２６の基板受け部２６ａに臨むように配設されており、この基板受け部２６ａの基板１０を受ける面が、プローブ５２の軸方向と直交するように形成される。そして、芯線３４ｃとプローブ５２は、外郭ＧＮＤブロック３２と電気的に絶縁状態となるように構成されることは、勿論である。なお、外郭ＧＮＤブロック３２に穿設された貫通孔３２ｄは、その内径が軸方向の途中で適宜に変更されて形成されている。しかも、本発明の中継コネクタの幅寸法、すなわち第１の操作レバー２０と基板ＧＮＤブロック２６および外郭ＧＮＤブロック３２の横幅が、同軸コネクタ３４の横幅の寸法と同じ、例えば１２．７ｍｍに設定される。
【００２６】
かかる構成において、まず図４に示すごとく、第１の操作レバー２０と第２の操作レバー２２を弾性バネ３６の弾力に抗して強く握り、外郭ＧＮＤブロック３２を基板ＧＮＤブロック２６から分離させて、基板受け部２６ａと絶縁押さえ部材５４の間を開く。そして、その間に基板１０を差し込み、端子電極１２にプローブ５２のプランジャーが臨むように位置させる。この状態で、図５に示すごとく、第１の操作レバー２０と第２の操作レバー２２の握りを緩め、弾性バネ３６の弾力で基板受け部２６ａと絶縁押さえ部材５４の間に基板１０を挟む。すると、基板１０の端子電極１２にプローブ５２のプランジャーが弾接し、端子電極１２がプローブ５２を介して同軸コネクタ３４の芯線３４ｃに電気的接続される。また、基板１０のＧＮＤ電極１６は、基板受け部２６ａに搭載されているのでこれと電気的接続され、さらに板バネ４６と外郭ＧＮＤブロック３２を直列に介して同軸コネクタ３４の外郭ＧＮＤ３４ａに電気的接続される。もって、本発明の中継コネクタにあっては、第１の操作レバー２０と第２の操作レバー２２を握って、基板１０を挟むことで、簡単に基板１０の端子電極１２とＧＮＤ電極１６を同軸コネクタ３４に電気的接続させることができる。そして、第１の操作レバー２０と第２の操作レバー２２を再び握って、挟まれた基板１０を簡単に取り外すことができる。しかも、本発明の中継コネクタの横幅は、同軸コネクタ３４の横幅と同じであり、基板１０に対して、同軸コネクタ３４を横に並べて配設できる最大の密度で、本発明の中継コネクタを配設することが可能である。
【００２７】
次に、本発明の第２実施例を図８を参照して説明する。図８は、本発明の中継コネクタの第２実施例の一部切り欠き断面図である。図８において、図１ないし図７と同じまたは均等な部材には同じ符号を付けて重複する説明を省略する。
【００２８】
本発明の中継コネクタの第２実施例にあっては、同軸コネクタ６４の芯線６４ｃを囲む誘電体部材が、外郭ＧＮＤ６４ａから突出しておらず、誘電体部材から剥き出された芯線６４ｃのみが突出したものが用いられている。そこで、外郭ＧＮＤブロック３２に穿設された貫通孔３２ｄには、貫通孔３２ｄの全長に渡り絶縁パイプ６０が挿入され、外郭ＧＮＤ６４ａから突出する芯線６４ｃが絶縁パイプ６０の一端側に挿入される。そして、絶縁パイプ６０に挿入されたプローブ５２の一端側のプランジャーが、絶縁パイプ６０内で芯線６４ｃの先端面に弾接するようになされる。この第２実施例における絶縁パイプ６０にあっては、その内径と外径が軸方向で適宜に変更されている。
【００２９】
なお、上記実施例において、基板ＧＮＤブロック２６に対して外郭ＧＮＤブロック３２を直線状の接近分離方向に移動を規制する機構は、実施例の構造に限られず、あり溝等を用いて適宜に形成しても良い。そして、第１の操作レバー２０に対する第２の操作レバー２２の揺動により、外郭ＧＮＤブロック３２を直線状に移動させる機構も、上記実施例のものに限られず、適宜なリンク機構等により形成しても良い。また、基板１０のＧＮＤ電極１６が搭載される基板受け部２６ａを外郭ＧＮＤブロック３２に電気的接続する構造は、上記実施例のごとき板バネ４６を用いたものに限られず、フレキシブルな電線で電気的接続させても良く、確実な導通が得られればいかなる構造であっても良い。さらに、プローブ５２は、両端に可動プランジャーを有するものに限られず、一端側に可動プランジャーを有するものであっても良い。そしてさらに、第１の操作レバー２０と第２の操作レバー２２の間に縮設される縮設された弾性部材は、上記実施例のごとき弾性バネ３６に限れらず、板状のバネ等が用いられても良い。
【図面の簡単な説明】
【００３０】
【図１】本発明の中継コネクタの一実施例の外観図であり、（ａ）は正面図であり、（ｂ）は平面図であり、（ｃ）は左側面図である。
【図２】図１の主要部分の分解斜視図である。
【図３】図１のＡ−Ａ断面矢視図である。
【図４】第１の操作レバーと第２の操作レバーを握った状態で基板を挿入した一部切り欠き断面図である。
【図５】基板を挿入した後に第１の操作レバーと第２の操作レバーの握りを緩めて基板を挟んだ状態の一部切り欠き断面図である。
【図６】絶縁パイプが配設される部分の構造を示す一部切り欠き拡大断面図である。
【図７】板バネを配設する構造を示す部分の分解斜視図である。
【図８】本発明の中継コネクタの第２実施例の一部切り欠き断面図である。
【図９】従来の同軸コネクタを基板に電気的接続する構造を示す図である。
【図１０】従来の基板に同軸コネクタを接続する前の分解斜視図である。
【符号の説明】
【００３１】
１０  基板
１２  端子電極
１４、３４、６４  同軸コネクタ
１４ａ、３４ｃ、６４ｃ  芯線
１４ｂ、３４ａ、６４ａ  外郭ＧＮＤ
１６  ＧＮＤ電極
２０  第１の操作レバー
２２  第２の操作レバー
２４  揺動軸
２６  基板ＧＮＤブロック
２６ａ  基板受け部
２６ｂ  移動保持部
２８  第２の揺動軸
３０  連結部材
３０ａ  長孔
３２  外郭ＧＮＤブロック
３２ａ  ガイド孔
３２ｂ  凸状部
３２ｃ  前面
３２ｄ  貫通孔
３４ｂ  誘電体部材
３６  弾性バネ
３８、４０  バネ受け部材
４２  Ｅリング
４４  ガイド部材
４６  板バネ
５０、６０  絶縁パイプ
５２  プローブ
５４  絶縁押さえ部材
【図１】
2008145248.tif 000003
【図２】
2008145248.tif 000004
【図３】
2008145248.tif 000005
【図４】
2008145248.tif 000006
【図５】
2008145248.tif 000007
【図６】
2008145248.tif 000008
【図７】
2008145248.tif 000009
【図８】
2008145248.tif 000010
【図９】
2008145248.tif 000011
【図１０】
2008145248.tif 000012